(57)【要約】本開示は、信号通信デバイス（３００）においてフィルタ回路（５００）を制御するための装置（３００）および方法（４００、６００）に向けられる。本開示の装置（３００）および方法（４００、６００）は、ある周波数範囲の上り通信部分において上り通信信号を送信するために使われる複数のチャネルの指示を含む信号を受信する（４１０）。さらに、本開示の装置（３００）および方法（４００、６００）は、前記指示に基づいて前記複数のチャネルによって使われるすべての周波数のうちの最大周波数値を判別し（４２０）、通信デバイス（３００）において前記上り通信信号を前記下り通信信号から分離するために使われるフィルタ回路（５００）におけるフィルタ応答を、前記判別された最大周波数値に基づいて調整する（４３０）。
2018533241.tif 000002
【特許請求の範囲】
【請求項１】
周波数範囲の上り通信部分において上り通信信号を送信するために使われる複数のチャネルの指示を含む信号を受信し（４１０）；
前記指示に基づいて前記複数のチャネルによって使われるすべての周波数のうちの最大周波数値を判別し（４２０）；
通信デバイスにおいて前記上り通信信号を下り通信信号から分離するために使われるフィルタ回路におけるフィルタ応答を、前記判別された最大周波数値に基づいて調整する（４３０）ことを含む、
方法。
【請求項２】
前記指示は、前記周波数範囲の下り通信部分において受信される（６０４）、請求項１記載の方法。
【請求項３】
前記判別すること（４２０）は、前記指示に基づいて、前記複数のチャネルにおける少なくとも一つのチャネルについての中心周波数およびチャネル帯域幅を決定することを含む、請求項１記載の方法。
【請求項４】
前記指示は、複数の上りチャネル記述子であり、各上りチャネル記述子は前記複数のチャネルのうちあるチャネルに対応し、各上りチャネル識別子はその上りチャネル識別子に関連付けられたチャネルについての中心周波数と、そのチャネルについての通信プロトコルについてのシンボル・レートとを特定するデータを含む、請求項３記載の方法。
【請求項５】
前記複数のチャネルの各チャネルについてのチャネル帯域幅は、対応するチャネルの上りチャネル記述子におけるシンボル・レートに基づいて決定される、請求項４記載の方法。
【請求項６】
チャネル帯域幅は、シンボル・レートに、超過アップロード帯域幅因子を乗算することによって決定される、請求項５記載の方法。
【請求項７】
前記複数のチャネルの各チャネルについての動作周波数は、各チャネルについての中心周波数を、対応するチャネルについての決定されたチャネル帯域幅の半分に加算することによって決定される、請求項５記載の方法。
【請求項８】
前記最大値は、前記複数のチャネルのチャネル全部についての最高の動作周波数を判別する（６１０）ことによって決定される（４２０）、請求項７記載の方法。
【請求項９】
前記最大値が第一の値より大きいかどうかを判定する（６１２）ことをさらに含み、前記調整することは、前記最大値が前記第一の値より大きくない場合には第一のフィルタ構成に切り換え、前記最大値が第一の値より大きい場合には第二のフィルタ構成に切り換えることを含み、前記第一のフィルタ構成は第一の高域通過フィルタおよび第一の低域通過フィルタを含み、前記第二のフィルタ構成は第二の高域通過フィルタおよび第二の低域通過フィルタを含む、請求項１記載の方法。
【請求項１０】
前記上り通信部分は、第一の周波数範囲または第二の周波数範囲に制限され、前記第二の周波数範囲は前記第一の周波数範囲を含み、かつ、前記第一の周波数範囲よりも高い上限周波数をもち、前記下り通信部分は第三の周波数範囲または第四の周波数範囲に制限され、前記第一の低域通過フィルタは前記第一の周波数範囲の信号のみを通過させ、第一の高域通過フィルタは前記第三の周波数範囲の信号のみを通過させ、前記第二の低域通過フィルタは前記第二の周波数範囲の信号のみを通過させ、前記第二の高域通過フィルタは前記第四の周波数範囲の信号のみを通過させる、請求項９記載の方法。
【請求項１１】
前記複数のチャネルのうち一つのチャネルについての、前記第二の周波数範囲のうち前記第一の周波数範囲よりも高い部分における周波数である周波数を使って信号を送信し；
前記第一の周波数範囲において受信される信号についての受け取り確認が受信されるかどうかを判定し；
前記受け取り確認が受信されないと判定される場合には前記第一のフィルタ構成に切り換え；
前記受け取り確認が受信されると判定される場合には前記第二のフィルタ構成に切り換えることをさらに含む、
請求項１０記載の方法。
【請求項１２】
ネットワークに結合されたネットワーク・インターフェース（３０２）を有する装置（３００）であって：
前記ネットワーク・インターフェース（３０２）は、ある周波数範囲の上り通信部分において前記ネットワークと当該装置との間で通信される信号を、前記周波数範囲の下り通信部分において前記ネットワークと当該装置との間で通信される信号から分離するフィルタ回路（５００）を含み、前記ネットワーク・インターフェース（３０２）はさらに、周波数範囲の前記上り通信部分において上り通信信号を送信するために使われる複数のチャネルの指示を受信し；
当該装置はさらに、前記ネットワーク・インターフェース（３０２）に結合された処理回路（３０４）を有し、前記処理回路（３０４）は、前記受信された信号における前記指示に基づいて前記周波数範囲の前記上り通信部分において前記複数のチャネルによって使われるすべての周波数のうちの最大周波数値を判別し、前記フィルタ回路（５００）におけるフィルタ応答を、前記判別された最大周波数値に基づいて調整する、
装置。
【請求項１３】
前記指示は、前記周波数範囲の前記下り通信部分において前記ネットワーク・インターフェース（３０２）によって受信される、請求項１２記載の装置。
【請求項１４】
前記プロセッサ（３０４）は、前記指示に基づいて、前記複数のチャネルにおける少なくとも一つのチャネルについての中心周波数およびチャネル帯域幅を決定する、請求項１２記載の装置。
【請求項１５】
前記指示は、複数の上りチャネル記述子であり、各上りチャネル記述子は前記複数のチャネルのうちあるチャネルに対応し、各上りチャネル識別子はその上りチャネル識別子に関連付けられたチャネルについての中心周波数と、そのチャネルについての通信プロトコルについてのシンボル・レートとを特定するデータを含む、請求項１４記載の装置。
【請求項１６】
前記プロセッサ（３０４）は、前記複数のチャネルの各チャネルについてのチャネル帯域幅を、対応するチャネルの上りチャネル記述子におけるシンボル・レートに基づいて決定する、請求項１５記載の装置。
【請求項１７】
前記プロセッサ（３０４）は、チャネル帯域幅を、シンボル・レートに超過アップロード帯域幅因子を乗算することによって決定する、請求項１６記載の装置。
【請求項１８】
前記プロセッサ（３０４）は、前記複数のチャネルの各チャネルについての動作周波数を、対応するチャネルについての中心周波数を、対応するチャネルについての決定されたチャネル帯域幅の半分に加算することによって決定する、請求項１６記載の装置。
【請求項１９】
前記プロセッサ（３０４）は、前記最大値を、前記複数のチャネルのチャネル全部についての最高の動作周波数を判別することによって決定する、請求項１８記載の装置。
【請求項２０】
前記フィルタ（５００）は、第一の高域通過フィルタ（５３０）および第一の低域通過フィルタ（５３５）を有する第一のフィルタ構成および第二の高域通過フィルタ（５４０）および第二の低域通過フィルタ（５４５）を有する第二のフィルタ構成をさらに含み、前記プロセッサ（３０４）は、前記最大値が第一の値より大きいかどうかを判定し、前記最大値が第一の値より大きくない場合には第一のフィルタ構成に切り換え、前記最大値が第一の値より大きい場合には第二のフィルタ構成に切り換えることによって前記フィルタ応答を調整する、請求項１２記載の装置。
【請求項２１】
前記周波数範囲の前記上り通信部分は、第一の周波数範囲または第二の周波数範囲に制限され、前記周波数範囲の前記下り通信部分は第三の周波数範囲または第四の周波数範囲に制限され、前記第二の周波数範囲は前記第一の周波数範囲を含み、かつ、前記第一の周波数範囲よりも高い上限周波数をもち、前記第三の周波数範囲は前記第一の周波数範囲より上であり、前記第四の周波数範囲は前記第三の周波数範囲より上であり、前記第一の低域通過フィルタ（５３５）は前記第一の周波数範囲の信号のみを通過させ、前記第一の高域通過フィルタ（５３０）は前記第三の周波数範囲の信号のみを通過させ、前記第二の低域通過フィルタ（５４０）は前記第二の周波数範囲の信号のみを通過させ、前記第二の高域通過フィルタ（５４５）は前記第四の周波数範囲の信号のみを通過させる、請求項２０記載の装置。
【請求項２２】
前記プロセッサ（３０４）は：
前記複数のチャネルのうち一つのチャネルについての、前記第二の周波数範囲のうち前記第一の周波数範囲よりも高い部分における周波数である周波数を使って、前記ネットワーク・インターフェース（３０２）を介して信号を送信し；
前記第一の周波数範囲において受信される信号についての受け取り確認が受信されるかどうかを判定し；
前記受け取り確認が受信されないと判定される場合には前記第一のフィルタ構成に切り換え；
前記受け取り確認が受信されると判定される場合には前記第二のフィルタ構成に切り換える、
請求項１３記載の装置。
【発明の詳細な説明】
【技術分野】
【０００１】
関連仮出願への相互参照
本願は2015年8月18日に出願された「信号通信デバイスにおけるフィルタ回路を制御する方法および装置」と題する米国仮出願第62/206370号の優先権を主張するものである。同出願の内容はここに参照によってその全体において組み込まれる。
【０００２】
技術分野
本開示は概括的には通信システムに、より詳細には、信号通信デバイスにおけるフィルタ回路を制御する方法および装置に関する。
【背景技術】
【０００３】
ここに記載されるいかなる背景情報も、下記に記述される本願実施形態に関係しうる技術のさまざまな側面を読者に紹介することを意図したものである。この議論は、読者に、本開示のさまざまな側面のよりよい理解を助ける背景情報を提供する助けになると信ずる。よって、これらの陳述はこの観点で読まれるものであることが理解されるべきである。
【０００４】
今日、ケーブル・モデムのようなモデムは、加入者の自宅にインターネット接続性を提供する。これらのモデムは典型的には、同軸ケーブル・ネットワーク、光ファイバー・ネットワーク、ハイブリッド・ファイバー／同軸ケーブル・ネットワークまたは無線ネットワークのような情報配送ネットワークに接続され、自宅の外のネットワーク・デバイス（たとえばケーブル・モデム終端サーバー（CMTS:  cable  modem  termination  server）のような終端システム）と通信する。自宅内では、モデムは、イーサネット（登録商標）ネットワーク、家庭内同軸ケーブル・ネットワーク（たとえば同軸マルチメディア連合（MoCA:  Multimedia  over  Coax  Alliance）によるもの）、無線ネットワークなどといった家庭内ネットワークに接続されることがあり、家庭内のさまざまなデバイスが、最終的に家庭外のネットワーク・デバイスと通信するためにそのネットワークを使うことがある。さらに、モデムは、家庭に電話サービス（たとえばIP音声（VoIP:  Voice  over  IP）サービス）を提供することがある。そのような多機能モデムは一般に、ゲートウェイまたはゲートウェイ・デバイスと称される。
【０００５】
家庭デバイス（たとえばケーブル・モデムまたはゲートウェイ）とCMTSとの間のケーブル・ネットワークにおいて使われる通信プロトコルは同軸データ・サービス・インターフェース仕様（DOCSIS:  Data  over  Cable  Service  Interface  Specification）と称される。今日利用可能な最新のプロトコルは、DOCSISバージョン3.1であり、先行バージョンからの変更は他にもあるが特に、上り通信のための可能な動作範囲を拡大している。DOCSISの先行バージョンは5メガヘルツ（MHz）ないし42MHzの上り周波数帯域を使っていた。このネットワークにおけるすべての消費者敷地設備（CPE:  consumer  premises  equipment）デバイスは、セットトップボックス（STB）、ケーブル・モデム、統合された音声のあるケーブル・モデム、ルーターまたはWi-Fi（ゲートウェイ）を介して、その周波数範囲内の上り信号伝達を使って動作する。
【０００６】
しかしながら、ネットワーク機能の拡張および上り通信のためのより高い帯域幅に対する必要性のため、DOCSIS  3.1は、上り周波数範囲を5〜42MHzから5〜85MHzに拡大することを許容する。将来のアップグレードはこの範囲をさらに拡大することがありうる。さらに、すべてのネットワークが同時にアップグレードされないことがありうる。結果として、拡大された上り周波数範囲のうち42MHzから85MHzまでの新規部分は、いまだ、いくつかのネットワークでは下り通信のために使われることがありうる。これら二つの環境に対応するために、サービス・プロバイダーは、それぞれの環境について一つで、二つの異なる入力フィルタ回路またはダイプレクサーを使う二つの異なる製品を展開することがありうる。あるいはまた、ネットワークおよびサービス・プロバイダーは、単一の固定した5〜85MHz上りフィルタを含むデバイスを展開したい場合、85MHz未満の周波数についての重複する下り通信信号を一時的に除去することがありうる。これらのアプローチは最適ではない。したがって、モデムまたはゲートウェイ・デバイスのような通信デバイスが、二つのネットワーク通信構成のいずれか一方で動作することを許容し、かつ、該構成をネットワーク通信構成の何らかの判定に基づいて制御する機能を含む機構が必要とされている。
【発明の概要】
【課題を解決するための手段】
【０００７】
本開示のある側面によれば、周波数範囲の上り通信部分において上り通信信号を送信するために使われる複数のチャネルの指示を受領し、前記指示に基づいて前記複数のチャネルによって使われるすべての周波数のうちで最大の周波数値を判別し、通信デバイスにおいて前記上り通信信号を下り通信信号から分離するために使われるフィルタ回路におけるフィルタ応答を、前記判別された最大周波数に基づいて調整することを含む方法が提供される。
【０００８】
本開示のもう一つの側面によれば、ネットワークに結合されたネットワーク・インターフェースを含む装置であって、前記ネットワーク・インターフェースは、周波数範囲の上り通信部分において前記ネットワークと当該装置との間で通信される信号を、前記周波数範囲の下り通信部分において前記ネットワークと当該装置との間で通信される信号から分離するフィルタ回路を含み、前記ネットワーク・インターフェースはさらに、周波数範囲の前記上り通信部分において上り通信信号を送信するために使われる複数のチャネルの指示を受領し、当該装置はさらに、前記ネットワーク・インターフェースに結合された処理回路を含み、前記処理回路は、前記受領された信号における前記指示に基づいて前記周波数範囲の前記上り通信部分において前記複数のチャネルによって使われるすべての周波数のうちで最大の周波数値を判別し、前記フィルタ回路におけるフィルタ応答を、前記判別された最大周波数に基づいて調整する、装置が提供される。
【図面の簡単な説明】
【０００９】
本開示の上記のおよび他の側面、特徴および利点は、付属の図面との関連で参酌される以下の詳細な説明に照らして一層明白になるであろう。
【図１】本開示の実施形態に基づくネットワーク通信システムのブロック図である。
【図２】本開示の実施形態に基づくゲートウェイ・システムのブロック図である。
【図３】本開示の実施形態に基づく例示的なゲートウェイ・デバイスのブロック図である。
【図４】本開示の実施形態に基づくフィルタ回路におけるフィルタ応答を調整するための方法のフローチャートである。
【図５】本開示の実施形態に基づくフィルタ回路のブロック図である。
【図６】本開示の実施形態に基づく通信デバイスにおいてフィルタ回路を制御する方法のフローチャートである。  図面は本開示の概念を示す目的のためであり、必ずしも本開示を示す唯一の可能な構成ではないことは理解しておくべきである。
【発明を実施するための形態】
【００１０】
図面に示される要素は、ハードウェア、ソフトウェアまたはその組み合わせのさまざまな形で実装されうることは理解しておくべきである。好ましくは、これらの要素は、一つまたは複数の適切にプログラムされた汎用デバイス上におけるハードウェアとソフトウェアの組み合わせで実装される。該汎用デバイスは、プロセッサ、メモリおよび入出力インターフェースを含んでいてもよい。本願では、「結合された」という句は、直接接続されている、または一つまたは複数の中間構成要素を用いて間接的に接続されていることを意味するものと定義される。そのような中間構成要素は、ハードウェアおよびソフトウェアに基づく構成要素を両方含んでいてもよい。
【００１１】
本稿は、本開示の原理を例解する。よって、当業者は、明示的に本稿で記載や図示されていないものの、本開示の原理を具現するものであり、その精神および範囲内に含まれるさまざまな構成を工夫できるであろうことは理解されるであろう。
【００１２】
本稿に記載されるすべての例および条件付きの言辞は、本開示の原理および発明者によって当技術分野の発展のために寄与される概念の理解において読者を助ける教育目的を意図されており、そのような特定的に挙げられる例および条件に限定することなく解釈されるものとする。
【００１３】
さらに、本稿において本開示の原理、側面および実施形態ならびにその具体例を記載するあらゆる陳述は、構造的および機能的な等価物の両方を包含することが意図されている。さらに、そのような等価物が現在知られている等価物および将来開発される等価物、すなわち構造に関わりなく同じ機能を実行する開発される任意の要素の両方を含むことが意図される。
【００１４】
よって、当業者は、本稿で呈示されるブロック図が本開示の原理を具現する例示的なシステム・コンポーネントおよび／または回路の概念的な図を表わしていることを理解するであろう。同様に、あらゆるフローチャート、流れ図、状態遷移図、擬似コードなどがさまざまなプロセスを表わしており、かかるプロセスは実質的にコンピュータ可読媒体において表現されてもよく、よってコンピュータやプロセッサが明示的に示されているか否かによらず、コンピュータまたはプロセッサによって実行されてもよいことも理解されるであろう。
【００１５】
図面に示されるさまざまな要素の機能は、専用ハードウェアや適切なソフトウェアとの関連でソフトウェアを実行することのできるハードウェアの使用を通じて提供されてもよい。プロセッサによって提供されるとき、それらの機能は、単一の専用プロセッサによって、単一の共有されるプロセッサによって、あるいは一部が共有されていてもよい複数の個別プロセッサによって提供されうる。さらに、用語「プロセッサ」「モジュール」または「コントローラ」の明示的な使用は、ソフトウェアを実行することのできるハードウェアのみを指すものと解釈されるべきではなく、暗黙的に、限定なしに、システムオンチップ（SoC）、デジタル信号プロセッサ（「DSP」）ハードウェア、ソフトウェアを記憶するための読み出し専用メモリ（「ROM」）、ランダム・アクセス・メモリ（「RAM」）および不揮発性記憶を含みうる。
【００１６】
従来のものおよび／またはカスタムの、他のハードウェアも含まれてもよい。同様に、図面に示されるスイッチがあったとしても、それは単に概念的なものである。その機能はプログラム論理の動作を通じて、専用論理を通じて、プログラム制御と専用論理の相互作用を通じて、あるいはさらには手動で実行されてもよい。具体的な技法は、コンテキストからより個別に理解されるように実装者によって選択可能である。
【００１７】
本願の実施形態では、指定された機能を実行する手段として表現または記載されたいかなる要素も、その機能を実行するいかなる仕方をも、たとえばａ）その機能を実行する回路素子の組み合わせまたはｂ）任意の形の、したがってファームウェア、マイクロコードなどを含むソフトウェアを、当該機能を実行するためにそのソフトウェアを実行するための適切な回路と組み合わせたものを包含することが意図されている。そのような請求項によって定義される開示は、前記さまざまな記載される手段によって提供される機能性が請求項が求める仕方で組み合わされ、一緒にされるという事実にある。よって、これらの機能性を提供できる任意の手段が本願で示されている手段と等価であると見なされる。
【００１８】
本開示は、信号通信デバイスにおいてフィルタ回路を制御するための装置および方法に向けられる。特に、実施形態は、DOCSIS準拠のケーブル・ネットワークにおいて使われるような、二つの異なる上り周波数範囲を使って動作できるケーブル・モデムまたはゲートウェイ・デバイスにおいて使われる上りフィルタの動作を単純化する実装を記載する。典型的なDOCSISネットワークはレガシーの5〜42MHzの上り周波数を使う可能性があり、あるいは新しい拡張された5〜85MHzの範囲（DOCSIS  3.1で実装される）を使う可能性がある。デバイスは通例、一方または他方の範囲をサポートするよう構成され、同じデバイスにおいて両方には対応しない。本願の実施形態は、デバイスまたはデバイス内のソフトウェアを入れ替えることなく、デバイスが、ネットワークが5〜42MHzの範囲で動作している場合には5〜42MHzで動作し、必要なときには5〜85MHzの範囲に切り換えることができるようにする、コスト効率のよい切り換え可能なダイプレクサー／トライプレクサー・フィルタ設計を使用する。さらに、実施形態は、信号通信デバイスのフィルタ回路におけるフィルタ構成の切り換えのための決定を含む制御機構を記述する。結果として、実装は、選択すべきフィルタ・オプションを自動検出し、デバイスとの通信の間に提供される標準的なメッセージを使って動作することができる。制御機構は、フロー制御およびネットワーク構成（たとえば、5〜42MHzまたは5〜85MHz）の経路を決定するために、ヘッドエンドまたはケーブル・モデム終端サーバー（CMTS）からの上りチャネル記述子（UCD:  upstream  channel  descriptor）メッセージをさがす。受領されたUCDメッセージに依存して、デバイスは、使用されるべき周波数範囲を認識して、フィルタリング回路における適切なフィルタ経路および構成に切り替わることができる。
【００１９】
本願の実施形態は、DOCSIS  3.1ネットワーク互換性に関して存在する上り周波数範囲問題への解決策であって、任意のDOCSISネットワーク互換通信デバイス・フロントエンド設計に簡単に統合できる低コストの、モジュラー式のアプローチを提供する。さらに、本制御機構は、フィルタ構成を変更するためにオペレーターまたは技師による介入を必要とせず、異なるフィルタ動作モードへの変更に関してユーザーおよびネットワーク・オペレーターにとって透明であり、ネットワーク・オペレーターが異なるフィルタ・オプションに切り換えることを望むときにデバイスを交換するための追加的なサービス・プロバイダー支援（たとえば「技師派遣」）を必要としない。本制御機構は、標準的なDOCSISメッセージ交換（たとえばUCD）のいくつかも、前記判定および自動検出のために利用する。
【００２０】
実施形態は、DOCSISネットワークにおいて使われるゲートウェイ・デバイスの一部として動作する本開示を記述するが、他の実施形態は本開示の一つまたは複数の側面の教示に基づいて当業者によって容易に適応されることができる。たとえば、本開示は、アクセスポイント、ケーブル・モデムおよびセットトップボックスを含むがそれに限られない他のネットワーク接続されたデバイスにおけるものを含んでいてもよい。さらに、いくつかの修正により、本開示の諸側面は、異なる周波数範囲、二つより多くの周波数範囲をもつ代替的な通信ネットワーク上で動作するよう適応されてもよい。該代替的な通信ネットワークは、衛星ネットワーク、無線または地上波ネットワークおよびファイバーもしくはデジタル加入者線（DSL）ネットワークを含むがそれに限られない。
【００２１】
図１に目を転じると、本開示の諸側面に基づくネットワーキング通信システム１００についての典型的な構成のブロック図が示されている。例示的実施形態によれば、家庭ゲートウェイ１０１は高度なケーブル・ゲートウェイ、ケーブル・モデム、DSLモデムなどであり、サービス・プロバイダー１１０へのWANインターフェースを通じた広域ネットワーク（WAN）リンク１２５に結合されている。WANリンク１２５は、同軸ケーブル、光ファイバー・ケーブル、電話線または空中（たとえば無線または地上波）リンクを含むがそれに限られない可能な通信リンクのうちの任意の一つまたは複数でありうる。家庭ゲートウェイ１０１は、一つまたは複数の顧客敷地設備（CPE）デバイス１８０A〜Nを結合する家庭ネットワーク１５０にも、ローカル・エリア・ネットワーク（LAN）インターフェースを介して結合される。家庭ネットワーク１５０は好ましくは無線リンクを含むが、同軸ケーブルまたはイーサネットのような有線リンクを含んでいてもよい。CPEデバイス１８０A〜Nはたとえば、パーソナル・コンピュータ、ネットワーク・プリンター、デジタル・セットトップボックスおよび／またはオーディオ／ビジュアル・メディア・サーバーおよびプレーヤーを含んでいてもよい。
【００２２】
サービス・プロバイダー１１０は、音声、データ、ビデオおよび／またはさまざまな高度なサービスのような一つまたは複数のサービスを、WANリンク１２５を通じて、家庭ゲートウェイ１０１および家庭ネットワーク１５０を通じてCPEデバイス１８０A〜Nに提供する。サービス・プロバイダー１１０は、動的ホスト構成プロトコル（DHCP:  dynamic  host  configuration  protocol）サーバー１１１およびDNSサーバー１１２のようなインターネット関係のサービスおよびサーバー構造を含んでいてもよく、他のサーバーおよびサービス（たとえばビデオオンデマンド、ニュース、天気）をも含んでいてもよい。これらのサーバーおよびサービスが、ハードウェアおよびソフトウェアの両方において物理的および／または仮想的に、共位置にあってもよく、あるいは広く分散していてもよいことが理解される。サービス・プロバイダー１１０はよく知られたプロトコル（たとえばDOCSIS）に従って通常の仕方で動作することが考えられている。例示的なケーブル用途では、サービス・プロバイダー１１０はたとえば、ケーブル・マルチプル・サービス・オペレーター（MSO）であってもよい。
【００２３】
家庭ゲートウェイ１０１は、顧客の家庭の外部のWANリンク１２５と顧客の自宅に位置する家庭ネットワーク１５０との間のインターフェースのはたらきをする。家庭ゲートウェイ１０１はIPプロトコルにおけるパケットのような転送データ・パケットを、WANにおいて使われるフォーマットから家庭ネットワークまたはLANにおいて使われるフォーマットに変換する。家庭ゲートウェイ１０１は、WANと家庭ネットワーク上の一つまたは複数のデバイスとの間で、変換されたデータ・パケットを含むデータ・パケットをルーティングもする。家庭ゲートウェイ１０１は、有線ネットワーク接続（たとえばイーサネットまたは同軸ケーブル・マルチメディア連合（MoCa））および無線ネットワーク接続の両方のためのインターフェースを含んでいてもよい。家庭ゲートウェイ１０１は、WANと、アナログ電話、テレビ、コンピュータなどといった顧客の自宅で使われるCPEデバイス１８０A〜Nとの間での、データ、音声、ビデオおよびオーディオ通信を許容する。
【００２４】
いくつかの構成では、家庭ゲートウェイ１０１が、何らかの通信様式で一緒に結合された二つの別個のデバイスに分割されていてもよいことが理解される。システムのWAN部分に接続された第一のデバイスは、ケーブル・モデムまたはネットワーク終端デバイス（NTD:  network  termination  device）と称されてもよい。システムの家庭LAN部分に接続された第二のデバイスは、家庭ルーター、家庭サーバーまたは家庭ゲートウェイと称されてもよい。機能的には、後述するように、これら二つのデバイスは、家庭ゲートウェイ１０１と整合する仕方で動作する。
【００２５】
図２は、本開示の諸側面に基づくゲートウェイ・システム２００を示している。ゲートウェイ・システム２００は、図１に記載したネットワーキング通信システム１００と同様の仕方で動作する。ゲートウェイ・システム２００では、ネットワーク２０１はゲートウェイ２０２に結合される。ゲートウェイ２０２は有線電話２０３に接続される。ゲートウェイ２０２はコンピュータ２０５にも接続される。さらに、ゲートウェイ２０２は一つまたは複数のアンテナ２０６を使って無線インターフェースを通じてデバイス２０４Ａ〜２０４Ｃとインターフェースをもつ。ゲートウェイ２０２は、前記一つまたは複数のアンテナ２０６を使ってコンピュータ２０５とインターフェースをもってもよい。
【００２６】
特に、ゲートウェイ・システム２００はケーブル・ネットワークの一部として動作し、パケット・データ・ケーブル・システムに、一つまたは複数の家庭ネットワークとインターフェースをもたせるはたらきをする。ゲートウェイ・システム２００は、WANとして動作するネットワーク２０１と家庭ネットワーク（単数または複数）との間のインターフェースを提供するゲートウェイ２０２を含む。ゲートウェイ・システム２００は、ゲートウェイ２０２を通じて接続されるときに家庭の電話として動作することができる有線のアナログ電話装置２０３をも含む。さらに、ゲートウェイ２０２は、複数の無線デバイス２０４Ａ、２０４Ｂおよび２０４Ｃへの無線周波（RF）インターフェースを提供するはたらきもする。無線デバイス２０４Ａ、２０４Ｂおよび２０４Ｃは、ゲートウェイ２０２上の一つまたは複数のアンテナ２０６を介して無線パケット送信を使って1.7GHzより上の周波数で動作するハンドヘルド・デバイスである。他の実施形態では、無線インターフェースをもつ他のデバイス、たとえばこれに限られないが、ルーター、タブレット、セットトップボックス、テレビジョンおよびメディアプレーヤーが使われてもよい。
【００２７】
ゲートウェイ２０２に含まれる無線インターフェースは、Wi-Fi、すなわち電気電子技術者協会規格IEEE802.11または他の同様の無線通信プロトコルを含む一つまたは複数の無線フォーマットを受け入れてもよい。さらに、システム内の各アンテナは別個のトランシーバー回路に取り付けられてもよいことが理解される。図２に示されるように、ゲートウェイ２０２は二つのアンテナを含む。デバイス２０４Ａおよびコンピュータ２０５も二つのトランシーバー回路および二つのアンテナを含むが、デバイス２０４Ｂおよびデバイス２０４Ｃは一つだけの送信受信回路および一つのアンテナを含む。いくつかの代替的設計では、二つ以上のアンテナが単一のトランシーバー回路とともに含められて、該単一のトランシーバー回路によって使用されうることが可能であってもよい。
【００２８】
動作では、ゲートウェイ２０２は、デバイス２０４Ａ〜Ｃと、ネットワーク２０１を介して同定され、接続されるインターネット宛先との間で、インターネット・プロトコル（IP）サービス（たとえば、データ、音声、ビデオおよび／またはオーディオ）を提供する。ゲートウェイ２０２は、有線電話２０３とネットワーク２０１を通じてルーティングされる通話宛先との間で、IP音声サービスをも提供する。ゲートウェイ２０２はさらに、図２に示されるような有線接続を介してまたは一つまたは複数のアンテナおよびトランシーバー回路を通じた無線接続を介して、ローカルなコンピュータ２０５への接続性を提供する。このように、コンピュータ２０５についての例示的インターフェースは、物理的に、ネットワーク２０１に接続するケーブル・モデムもしくはNTDと、家庭内の他のすべてのデバイスに接続する家庭ゲートウェイという二つのコンポーネントとして構成されてもよい。
【００２９】
ゲートウェイ２０２はさらに、ネットワーク２０１を通じてヘッドエンドまたはCMTSとインターフェースをもつための通信フロントエンド回路を含む。いくつかの実施形態では、ゲートウェイ２０２はさらに、同軸ケーブルを通じてMoCAプロトコルを使って家庭ネットワークまたはLANにおいて通信するための回路を含む。通信フロントエンド回路は、MoCAが含まれる場合、ダイプレクサー・フィルタまたはトライプレクサー・フィルタを含む。上り通信および下り通信信号（およびもし存在すればMoCA信号）を分離するためである。本開示に基づくダイプレクサー／トライプレクサー・フィルタの実装に関するさらなる詳細は後述する。さらに、本稿に記載される実施形態は主としてケーブル・システムにおいて使われ、特に、DOCSIS  3.1プロトコルを使うシステムにおいて使われる。本願の実施形態がケーブル／データ・プロトコルの将来の進展においても有用となる可能性が高い。よって、本開示は、データ・モデム機能を用いるゲートウェイにおいて主として使用されうるが、データ・モデム回路および機能もしくは他の任意の形の二通信機能を含む他の任意のネットワーク接続されるデバイス（たとえばケーブル・モデム、アクセスポイントなど）を含む他のデバイスも、本開示の諸側面を含みうる。
【００３０】
図３に目を転じると、本開示の諸側面に基づく例示的なゲートウェイ・デバイス３００のブロック図が示されている。ゲートウェイ・デバイス３００は図２に記載されるゲートウェイ２０２または図１に記載される家庭ゲートウェイ１０１に対応しうる。ゲートウェイ・デバイス３００では、入力信号はRF入力３０１に与えられる。RF入力３０１はネットワーク・インターフェース３０２に接続される。ネットワーク・インターフェース３０２は中央処理ユニット（CPU）３０４、たとえばプロセッサ、コントローラなどに接続される。CPU  ３０４は電話D/Aインターフェース３０６、トランシーバー３０８、トランシーバー３０９、イーサネット・インターフェース３１０、システム・メモリ３１２およびユーザー・コントロール３１４に接続される。トランシーバー３０８はさらに、アンテナ３２０に接続される。トランシーバー３０９はさらに、アンテナ３２１に接続される。ゲートウェイ・デバイス３００の完全な動作のために必要ないくつかのコンポーネントおよび相互接続は当業者によく知られていることが理解される。ゲートウェイ・デバイス３００は、ケーブルまたはDSL通信ネットワークへのインターフェースとして動作することができてもよく、さらに、有線および無線の家庭ネットワークを通じて接続される一つまたは複数のデバイスへのインターフェースを提供することができてもよい。
【００３１】
WAN上のケーブルまたはDSL信号のような信号は、RF入力３０１を通じてネットワーク・インターフェース３０２とインターフェースをもたされる。ネットワーク・インターフェース３０２は、WANに提供される信号に対するRF変調および送信機能と、WANから受信される信号に対する同調および復調機能を実行する回路類または一つもしくは複数の回路を含む。RF変調および復調機能は、ケーブルまたはDSLシステムのような通信システムにおいて一般的に使われているものと同じである。いくつかの実施形態ではネットワーク・インターフェース３０２はチューナーと称されることがあることを注意しておくことが重要である。かかるチューナーは、変調および送信回路および機能をも含んでいてもよいことになるが。
【００３２】
CPU  ３０４は復調されたケーブルまたはDSL信号を受け入れ、ネットワーク・インターフェース３０２への送達およびWANへの送信のためにゲートウェイ３００においてデジタル的に処理  インターフェースする。
【００３３】
システム・メモリ３１２は、CPU  ３０４における処理およびIP機能をサポートし、プログラムおよびデータ情報のための記憶のはたらきもする。CPU  ３０４からの処理されたおよび／または記憶されたデジタル・データは、イーサネット・インターフェース３１０との間の転送のために利用可能である。イーサネット・インターフェースは、典型的なレジスタード・ジャック（RJ:  Registered  Jack）型RJ-45物理インターフェース・コネクタまたは他の標準的なインターフェース・コネクタをサポートし、外部のローカル・コンピュータへの接続を許容してもよい。CPU  ３０４からの処理されたおよび／または記憶されたデジタル・データは、インターフェース３０６におけるデジタルからアナログへの変換のためにも利用可能である。インターフェース３０６は、アナログ電話ハンドセットへの接続を許容する。典型的には、この物理的接続はRJ-11規格インターフェースを介して提供されるが、他のインターフェース規格が使われてもよい。CPU  ３０４からの処理されたおよび／または記憶されたデジタル・データはさらに、トランシーバー３０８およびトランシーバー３０９との交換のために利用可能である。トランシーバー３０８およびトランシーバー３０９は、複数の動作およびネットワーク接続されたデバイスの両方を同時にサポートできる。CPU  ３０４は、ユーザー・コントロール・インターフェース３１４を介して提供されるユーザー入力信号を受け取り、処理するようにも動作する。ユーザー・コントロール・インターフェース３１４は、ディスプレイおよび／またはハンドヘルド・リモコンおよび／もしくは他の型のユーザー入力装置のようなユーザー入力装置を含んでいてもよい。
【００３４】
上記のように、ゲートウェイ・デバイス３００は、NTDとして動作するよう構成されてもよい。この場合、CPU  ３０４はイーサネット・インターフェース３１０およびシステム・メモリ３１２に接続するだけであってもよい。電話D/Aインターフェース３０６、トランシーバー３０８および／またはトランシーバー３０９は存在しなくても、あるいは使われなくてもよい。さらに、NTDは直接ユーザー・インターフェースを含まなくてもよく、よって、ユーザー・コントロール３１４を含まなくてもよい。さらに、NTDは、二つ以上のイーサネット・インターフェース３１０を含み、サポートしてもよく、それぞれのイーサネット・インターフェースを、コンテンツ・サービス・プロバイダー（単数または複数）とイーサネット・インターフェースに取り付けられた家庭ゲートウェイとの間の別個の仮想回路として動作させることができてもよい。これにより、それぞれのコンテンツ消費者のための別個のLANの生成が許容される。
【００３５】
ネットワーク・インターフェース３０２は複数のフィルタを含むフィルタ回路を含んでいてもよい。フィルタ回路は、（たとえばDOCSISプロトコルの一部として）WANにおける上りおよび下り通信のために使われる周波数範囲ならびに家庭ネットワークにおいてMoCA通信のために使われる周波数範囲内の信号をフィルタリングまたは分離するために、一つまたは複数の低域通過フィルタおよび高域通過フィルタを含んでいてもよい。ネットワーク・インターフェース３０２内のフィルタリング回路は、一緒に結合された低域通過フィルタおよび高域通過フィルタを含み、二つの可能な上りネットワーク構成の少なくとも一方をサポートするようフィルタ回路の再構成を提供する切り換え機構を含む。ある実施形態では、フィルタ回路は、第一のネットワーク構成をサポートする第一の構成であって、該第一のネットワーク構成における上り通信は5〜42MHz周波数範囲で行なわれる、第一の構成と、第二のネットワーク構成をサポートする第二の構成であって、該第二のネットワーク構成における上り通信は5〜85MHz周波数範囲で行なわれる、第二の構成とにおいて構成されることができる。上記の周波数範囲は単に例示的であり、本開示のフィルタ回路は、異なる周波数範囲を含む他の既存のおよび／または将来の考えられているプロトコルを受け入れるために、多くの異なる上り通信周波数範囲の間の切り換えのために適応されることができることは理解される。フィルタ回路の一つの実施形態は、図５との関係で後述する。
【００３６】
さらに、CPU  ３０４は、サービス・プロバイダー１１０によって現在用いられているネットワーク構成を判別するまたは自動検出するためにネットワーク・インターフェース３０２とインターフェースをもつ。CPU  ３０４がサービス・プロバイダー１１０によって現在用いられているネットワーク構成を判別した後、CPU  ３０４は、判別されたネットワーク構成に基づいてフィルタリング回路のフィルタリング応答を調整するために、ネットワーク・インターフェース３０２内のフィルタ回路についての異なるフィルタ構成の間で切り換えることができる。ネットワーク構成がCPU  ３０４によって判別されるのは、上り周波数通信範囲において使われている上りチャネルの指標／指示を受信することによってであることができることは理解される。ここで、該指標は、ネットワークの下り通信部分で受信される。ある実施形態では、CPU  ３０４は、サービス・プロバイダー１１０によって現在用いられているネットワーク構成を判別することを、下りチャネル上でサービス・プロバイダー１１０によって（WANリンク１２５またはネットワーク２０１を介して）CMTSから送信され、入力３０１およびネットワーク・インターフェース３０２を介してゲートウェイ３００によって受信されるUCDを集めることによって行なう。これについてはのちに詳細に述べる。
【００３７】
ゲートウェイ３００が最初に電源投入されてブートアップ状態が初期化されるとき、ゲートウェイ３００は、UCDを集めるために、最後に使われた下りチャネルに同調することが理解される。しかしながら、最後に使われたチャネルがない場合には、ゲートウェイ３００は、UCDを送信している下りチャネルをゲートウェイ３００がみつけるまでそれぞれの利用可能なチャネルに同調していく。それぞれの下りチャネルがすべてのUCDを送信することは理解される。さらに、送信されるUCDの総数は各UCDに含まれるデータの一部となる。このようにして、ゲートウェイ３００が単一の下りチャネルに同調することによってすべてのUCDを受信できるとき、ゲートウェイ３００は、それらのUCD内のデータによって送られるUCDの量を判別することができる。
【００３８】
ネットワーク構成の判別が、デバイス（たとえばゲートウェイ３００）の「レンジング（ranging）」が始まる前に行なわれることも理解される。レンジングは、ゲートウェイ３００のようなゲートウェイまたはモデムがゲートウェイの最低送信電力（たとえばDOCSIS  2.0および1.xモデムについては1ミリボルトを基準としたデシベルで8デシベル（dBmV）であり、DOCSIS  3.0モデムについては典型的には23dBmV）でレンジ要求（RNG-REQ:  Range-Request）を送ることを始めるプロセスである。ゲートウェイ３００が200msec以内にレンジ応答（RNG-RSP:  Range-Response）をCMTSからから受信しない場合には、ゲートウェイ３００はその送信電力を3dB増して、RNG-REQを再送信する。レンジングの間、ゲートウェイ３００は、RNG-RSPがゲートウェイ３００によって受信されるまでその送信電力を増し続ける。
【００３９】
切り換えを通じてネットワーク・インターフェース３０２内のフィルタ回路におけるフィルタ構成を設定するための前記決定（the  determination）は、適正な時刻に実行される。切り換えを通じてフィルタ構成を設定するための前記判別が早く実行されすぎると、いくつかの可能なUCDが判別に含まれない可能性があり、よって可能性としては誤ったフィルタ構成がCPU  ３０４によって選択される。切り換えるための前記判別が行なわれるのが遅すぎる（たとえばレンジングの間）場合には、いくつかの上りチャネル（たとえば42から65MHzまでの間の周波数範囲にあるもの）が適正に動作しないことがありうる。
【００４０】
図４に目を転じると、ゲートウェイ３００内のネットワーク・インターフェース３０２のような通信デバイスのネットワーク・インターフェース回路またはチューナーに含まれるフィルタ回路におけるフィルタ応答を調整するための方法４００のフローチャートが本開示に従って示されている。初期に、ゲートウェイ３００は、段階４１０において、ある周波数範囲の上り通信部分での上り通信のために使われる複数のチャネルの指示を含む下りチャネル上での信号を（入力３０１およびネットワーク・インターフェース３０２を介して）受信する。ある実施形態では、受信される指示は、（のちにより詳細に述べるように）CMTSからゲートウェイ３００に送られる複数のUCDであるが、使われる上りチャネルの他の指示も本開示の範囲内であると考えられる。該指示を含む信号を受信した後、CPU  ３０４は、段階４２０において、信号中の複数のチャネルによって使用される周波数についての最大または最高値を判別する。ある実施形態では、該周波数についての最高値は、（のちにより詳細に述べるように）そのチャネルについての通信プロトコルのチャネル帯域幅およびシンボル・レートに基づいて決定される。次いで、段階４３０において、CPU  ３０４は、ネットワーク・インターフェース３０２のフィルタ回路におけるフィルタ応答を、判別された最高周波数に基づいて調整する。フィルタ回路がのちにより詳細に述べられることが理解される。
【００４１】
ある実施形態では、フィルタ応答がCPU  ３０４によって調整されるのは、上り通信のための第一の周波数範囲（たとえば約5〜42MHz）のために構成された第一のフィルタ構成と、上り通信のための第二の周波数範囲（たとえば約5〜85MHz）のために構成された第二のフィルタ構成との間で切り換えることによってである。このようにして、方法４００は、二つ以上の異なるネットワーク構成に適応するゲートウェイ３００のような通信デバイスとともに使われることができる。たとえば、あるネットワーク構成（たとえばDOCSISの以前のバージョン）は上り通信のために第一の周波数範囲を使うことがあり、別のネットワーク構成（たとえばDOCSIS  3.1）は上り通信のために、第一の周波数範囲を拡張した第二の周波数範囲を使うことがある。
【００４２】
図５に目を転じると、DOCSISネットワークにおいて動作するゲートウェイ・デバイスにおける使用のための例示的なフィルタ回路５００のブロック図が示されている。フィルタ回路５００は典型的には、図３に記載したネットワーク・インターフェース３０２のようなネットワーク・インターフェース回路の一部として使われてもよい。フィルタ回路５００は、下り通信のためのチューナーおよび復調器ならびに上り通信のための送信器に結合された別個のコンポーネントであってもよい。フィルタ回路５００はDOCSISネットワークにおいて使われるものとして記載されているが、他の実施形態では、回路５００は、異なる上り周波数範囲をもつネットワーク構成を用いる他のネットワークにおける使用のために構成されていてもよい。
【００４３】
フィルタ回路５００では、フィルタ入力５０１は高域通過フィルタ（HPF）５０５に結合される。ここで、HPF  ５０５は低域通過フィルタ（LPF）５１０に結合される。フィルタ入力５０１は入力３０１と同じであってもよいことが理解される。ある実施形態では、HPF  ５０５およびLPF  ５１０のためのフィルタ通過帯域の端の周波数は、それぞれ約1125MHzおよび1675MHzである。LPF  ５１０はバラン５１５の入力に結合され、バラン５１５の他方の入力は大地に結合される。バラン５１５のそれぞれの出力は、ゲートウェイ３００のようなデバイスにおいて使われるようなMoCA回路（図示せず）に結合される。高域通過フィルタ（HPF）５０５、低域通過フィルタ（LPF）５１０およびバラン５１５は、フィルタ入力５０１と追加的なMoCA処理回路（たとえばネットワーク・インターフェース３０２またはCPU  ３０４内）との間のMoCA動作のためのフィルタリングされた信号経路を提供する。
【００４４】
フィルタ入力５０１はLPF  ５２０にも結合される。LPF  ５２０は、MoCA信号とDOCSIS信号との間の信号分離を提供する。ある実施形態では、LPF  ５２０のためのフィルタ通過帯域の端の周波数は1002MHzである。LPF  ５２０は、たとえば単極双投スイッチのようなスイッチ５２５に結合される。スイッチ５２５は二つの切り換え可能な出力、出力５２６および出力５２７を含む。出力５２６は下り（DS:  downstream）HPF  ５３０および上り（US:  upstream）LPF  ５３５に結合される。出力５２７はUS  LPF５４０およびDS  HPF５４５に結合される。US  LPF  ５３５およびUS  LPF  ５４０の出力はスイッチ５５０の切り換え可能な入力に結合される。ここで、US  LPF  ５３５は入力５５１に結合され、US  LPF  ５４０は入力５５２に結合される。DS  HPF  ５３０およびDS  HPF  ５４５の出力はスイッチ５５５の切り換え可能な入力に結合される。ここで、DS  HPF  ５３０は入力５５６に結合され、DS  HPF  ５４５は入力５５７に結合される。スイッチ５５０および５５５は単極双投スイッチとして示されているが、他のスイッチング構成および／またはデバイスも本開示の範囲内であると考えられる。ゲートウェイ３００において、スイッチ５５５の出力は、（たとえばネットワーク・インターフェース３０２またはCPU  ３０４内の）追加的な下り回路のための接続点を提供し、スイッチ５５０の出力は、（たとえばネットワーク・インターフェース３０２またはCPU  ３０４内の）追加的な上り回路のための接続点を提供する。
【００４５】
スイッチ５２５、５５０および５５５のそれぞれは、スイッチに対する動作スイッチング制御を提供するために制御入力（図示せず）を含む。制御入力は、それらのスイッチのそれぞれの一つにまたは全部に提供される一つまたは複数の信号であってもよく、主制御ユニット（たとえばCPU  ３０４）によって生成され、提供されてもよい。たとえば、CPU  ３０４は、出力５２６を介してLPF  ５２０をDS  HPF  ５３０およびUS  LPF  ５３５に結合する、あるいは出力５２７を介してLPF  ５２０をUS  LPF  ５４０およびDS  HPF  ５４５に結合するよう、スイッチ５２５に一つまたは複数の信号を提供してもよい。CPU  ３０４はさらに、入力５５１を介してUS  LPF  ５３５をゲートウェイ３００内の上り回路に結合する、あるいは入力５５２を介してUS  LPF  ５４０をゲートウェイ３００内の上り回路に結合するよう、スイッチ５５０に一つまたは複数の信号を提供してもよい。CPU  ３０４はさらに、入力５５６を介してDS  HPF  ５３０をゲートウェイ３００内の下り回路に結合する、あるいは入力５５７を介してDS  HPF  ５４５をゲートウェイ３００内の下り回路に結合するよう、スイッチ５５５に一つまたは複数の信号を提供してもよい。
【００４６】
DS  HPF  ５３０／US  LPF  ５３５のフィルタ構成（すなわち第一のフィルタ構成）およびUS  LPF  ５４０／DS  HPF  ５４５のフィルタ構成（すなわち第二のフィルタ構成）は、CPU  ３０４が、二つの可能な上り通信周波数範囲の一方を受け入れるフィルタ構成に切り換えることを許容しつつ、共通の諸インターフェースにおいて一緒に接続されている諸フィルタ要素の間の最小限の相互作用をも保証する。たとえば、ある実施形態では、DS  HPF  ５３０／US  LPF  ５３５およびUS  LPF  ５４０／DS  HPF  ５４５のフィルタ構成は、上り通信のために5〜42MHz範囲を使う古いDOCSISプロトコル（すなわちDOCSIS  3.1より前のプロトコル）がWAN上のサービス・プロバイダー１１０によって使われている場合、CPU  ３０４が、DS  HPF  ５３０／US  LPF  ５３５フィルタ構成に切り換えることを許容するよう構成される。DOCSISプロトコルを使うネットワークにおいて使うために意図されている実施形態では、US  LPF  ５３５およびDS  HPF  ５３０のためのフィルタ通過帯域の端の周波数はそれぞれ42MHzおよび54MHzであり、DS  HPF  ５４５およびUS  LPF  ５４０のためのフィルタ通過帯域の端の周波数はそれぞれ108MHzおよび85MHzであることは理解される。
【００４７】
再び図５を参照すると、CMTSによってWANを介してゲートウェイ３００に送られ、ネットワーク・インターフェース３０２を介してCPU  ３０４に提供されたUCDに基づいて、CPU  ３０４が、上り通信が5〜42MHz周波数範囲で行なわれていると判別する場合、CPU  ３０４は、LPF  ５２０をDS  HPF  ５３０およびUS  LPF  ５３５にスイッチ５２５の出力５２６を介して結合するようスイッチ５２５に信号を提供することができる。さらに、CPU  ３０４は、US  LPF  ５３５をスイッチ５５０の入力５５１を介してゲートウェイ３００内の上り回路に結合するようスイッチ５５０に信号を提供することができ、CPU  ３０４は、DS  HPF  ５３０をスイッチ５５５の入力５５６を介してゲートウェイ３００内の下り回路に結合するようスイッチ５５５に信号を提供することができる。CPU  ３０４によってスイッチ５２５、５５０および５５５に送られる信号は、信号がUS  LPF  ５４０およびDS  HPF  ５４５（すなわち第二のフィルタ構成）ではなくDS  HPF  ５３０およびUS  LPF  ５３５に提供される第一のフィルタ構成を与える。このようにして、入力５０１を介して受領され、LPF  ５２０においてフィルタリングされた信号（すなわち、1002MHzより下の信号）はDS  HPF  ５３０およびUS  LPF  ５３５に提供される。DS  HPF  ５３０は54MHzより上の信号のみを通過させ、該54MHzより上の信号をスイッチ５５５の入力５５６を介してゲートウェイ３００内の下り回路に提供する。US  LPF  ５３５は42MHzより下の信号のみを、スイッチ５５０の入力５５１を介してゲートウェイ３００内の上り回路に通す。
【００４８】
あるいはまた、CMTSによってWANを介してゲートウェイ３００に送られ、ネットワーク・インターフェース３０２を介してCPU  ３０４に提供されたUCDに基づいて、CPU  ３０４が、上り通信が5〜85MHz周波数範囲で行なわれている（すなわち、DOCSIS  3.1プロトコルがサービス・プロバイダーによって使われている）と判別する場合、CPU  ３０４は、LPF  ５２０をUS  LPF  ５４０およびDS  HPF  ５４５にスイッチ５２５の出力５２７を介して結合するようスイッチ５２５に信号を提供することができる。さらに、CPU  ３０４は、US  LPF  ５４０をスイッチ５５０の入力５５２を介してゲートウェイ３００内の上り回路に結合するようスイッチ５５０に信号を提供することができ、CPU  ３０４は、DS  HPF  ５４５をスイッチ５５５の入力５５７を介してゲートウェイ３００内の下り回路に結合するようスイッチ５５５に信号を提供することができる。CPU  ３０４によってスイッチ５２５、５５０および５５５に送られる信号は、信号がDS  HP  ５３０およびUP  LPF  ５３５（すなわち第一のフィルタ構成）ではなくUS  LPF  ５４０およびDS  HPF  ５４５に提供される第二のフィルタ構成につながる。このようにして、入力５０１を介して受領され、LPF  ５２０においてフィルタリングされた信号（すなわち、1002MHzより下の信号）はUS  LPF  ５４０およびDS  HPF  ５４５に提供される。US  LPF  ５４０は85MHzより下の信号のみをスイッチ５５０の入力５５２を介してゲートウェイ３００内の上り回路に通す。DS  HPF  ５４５は108MHzより上の信号のみを、スイッチ５５５の入力５５７を介してゲートウェイ３００内の下り回路に通す。
【００４９】
図６に目を転じると、ゲートウェイ３００のような通信デバイスにおいてフィルタリング回路を制御するための方法６００が、本開示に従って示されている。プロセス６００における段階は、ゲートウェイ３００における下り通信の初期化の間にCMTSによってWANを介してゲートウェイ３００に送られるUCDを受信し、識別することに基づいて図５におけるフィルタリング回路５００を制御するための一つの実装を与える。
【００５０】
初期に、段階６０２において、ゲートウェイ３００のような通信デバイスが初期化され、ブートアップ・フェーズが始まる。ゲートウェイ３００が初期化されるとき、ゲートウェイ３００は、最後に使われた下り通信チャネル（あるいはまた、最後に使われた下り通信チャネルがない場合には、ゲートウェイ３００によって見出される最初の有効な下り通信チャネル）に同調する。ゲートウェイ３００がすでに稼働している間にネットワーク構成が変更された場合、ゲートウェイ３００は再初期化されて、最後に使われた下り通信チャネル（あるいはまた、最後に使われた下り通信チャネルがない場合には、ゲートウェイ３００によって見出される最初の有効な下り通信チャネル）に同調することが理解される。前述したように、CMTSは複数のUCDをWANを通じてゲートウェイ３００に下り送信する。CMTSは各UCDを、CMTSによって選ばれるあらかじめ決定された時間間隔で送信する。たとえば、CMTSは2秒毎に一つのUCDを送ってもよい。各UCDは上り通信チャネルに対応し、そのUCDに関連付けられている上り通信チャネルに関する情報を含んでいる。CMTSは、使用されているネットワークに含まれているそれぞれの上り通信チャネルについてUCDを送る。すべてのUCDはすべての下り通信チャネル上で送信されることが理解される。
【００５１】
ゲートウェイ３０２の初期化に際して、段階６０４において、ゲートウェイ３００のネットワーク・インターフェース３０２は、（上記したように）有効な下り通信チャネルに同調し、同調された下り通信チャネル上でCMTSによって送られたUCDを受信する。受信されたUCDはCPU  ３０４に与えられることが理解される。段階６０６では、CPU  ３０４はUCDのすべてが受信されたかどうかを、UCD内のデータに基づいて判定する。ここで、先述したように、各UCDは、送られることになるUCDの総数を示すデータを含んでいる。段階６０６においてCPU  ３０４がまだすべてのUCDが受信されていないと判定する場合、ゲートウェイ３００は段階６０４においてUCDの収集を続ける。しかしながら、段階６０６においてCPU  ３０４がすべてのUCDが受信されたと判定する場合には、段階６０８において、CPU  ３０４は、それぞれの受信されたUCDに関連付けられた上りチャネルについての動作周波数を判別する。
【００５２】
例示的なUCDに存在する情報の一部を下記に示す。
【００５３】
DOCSIS規格のUCDメッセージ：
MMM型：UCD
上りチャネルID（HEX）＝01
構成変更カウント＝3
ミニ・スロット・サイズ＝64
下りチャネルID（HEX）＝0B
シンボル・レート＝1（160000シンボル毎秒）
上り周波数＝26750000Hz
。
【００５４】
上記の例示的なUCD情報において見られるように、UCDは、そのUCDに関連付けられた上りチャネルのシンボル・レートおよび「上り周波数」を含む。ここで、UCD情報における「上り周波数」は、上りチャネルの中心周波数を表わす。ある実施形態では、CPU  ３０４が上りチャネルに関連付けられたUCDを受信するとき、CPU  ３０４は、そのUCDに関連付けられた上りチャネルの動作周波数を、上りチャネルの中心周波数およびチャネル帯域幅に基づいて、判別する。シンボル・レート情報は、UCDに関連付けられた上りチャネルについての動作の最大または最高周波数を決定するために、CPU  ３０４によって使われてもよい。たとえば、5120メガシンボル毎秒（Msps）は6.4MHzのチャネル帯域幅を占める（上りについて25%の超過帯域幅）。160Kspsは200KHzチャネル帯域幅を占める。一般的な公式は、UCDに関連付けられている上りチャネルについてのUCDに見出されるシンボル・レートに、1.25を乗算して、上りチャネルについての占有されるチャネル帯域幅を得るというものである。ひとたび上りチャネル帯域幅が計算されたら、UCDに関連付けられた上りチャネルの動作周波数は、CPU  ３０４によって、中心周波数に、占有されるチャネル帯域幅の半分を加算することによって計算されることができる。換言すれば、各チャネルについての動作周波数は次の公式によって決定される。
【００５５】
動作周波数＝(0.5)×(チャネル帯域幅)＋(中心周波数)
ここで、チャネル帯域幅＝(1.25)×(シンボル・レート)。
【００５６】
段階６０８では、CPU  ３０４は、それぞれの受信されたUCDに含まれるシンボル・レートおよび中心周波数を使って、上記の仕方でそれぞれの受信されたUCDに対応する上りチャネルの動作周波数を決定しうる。次いで、段階６１０では、CPU  ３０４は、受信されたすべてのUCDの最高または最大動作周波数（すなわち、段階６０８で決定された最高の周波数）を決定してもよい。
【００５７】
段階６１２では、CPU  ３０４は、最高動作周波数が第一の値より大きいかどうかを判定してもよい。ある実施形態では、第一の値は42MHzである。段階６１２においてCPU  ３０４が最高動作周波数が第一の値（たとえばある実施形態では42MHz）より大きくないと判定する場合には、CPU  ３０４は、段階６１４において、ネットワーク・インターフェース３０２内のフィルタリング回路（図５に示し、上記で述べた）を調整して、第一のフィルタ構成を達成してもよい。上記のように、第一のフィルタ構成が達成されるのは、CPU  ３０４が、LPF  ５２０をDS  HPF  ５３０およびUS  LPF  ５３５に（スイッチ５２５の出力５２６を介して）結合し、DS  HPF  ５３０を（スイッチ５５５の入力５５６を介して）ゲートウェイ３００内の下り回路に、US  LPF  ５３５を（スイッチ５５０の入力５５１を介して）ゲートウェイ３００内の上り回路に結合するようスイッチ５２５、５５０および５５５に信号を提供するときである。このようにして、54MHzより上の信号がゲートウェイ３００内の上り回路に提供され、42MHzより下の信号が、より古いDOCISISプロトコル（すなわち、DOCISIS  3.1より前のプロトコル）と整合するゲートウェイ３００内の下り回路に提供される。
【００５８】
あるいはまた、段階６１２においてCPU  ３０４が最高動作周波数が第一の値（たとえばある実施形態では42MHz）より大きいと判定する場合には、CPU  ３０４は、段階６１６において、ネットワーク・インターフェース３０２内のフィルタリング回路を調整して、第二のフィルタ構成を達成してもよい。上記のように、第二のフィルタ構成が達成されるのは、CPU  ３０４が、LPF  ５２０をUS  LPF  ５４０およびDS  HPF  ５４５に（スイッチ５２５の出力５２７を介して）結合し、US  LPF  ５４０を（スイッチ５５０の入力５５２を介して）ゲートウェイ３００内の上り回路に、DS  HPF  ５４５を（スイッチ５５５の入力５５７を介して）ゲートウェイ３００内の下り回路に結合するようスイッチ５２５、５５０および５５５に信号を提供するときである。このようにして、85MHzより下の信号がゲートウェイ３００内の上り回路に提供され、108MHzより上の信号が、DOCISIS  3.1プロトコルと整合するゲートウェイ３００内の下り回路に提供される。
【００５９】
CPU  ３０４がチューナー３０２内のフィルタリング回路を調整して、段階６１４で第一のフィルタ構成を達成するか段階６１６で第二のフィルタ構成を達成するかした後、CPU  ３０４は、段階６１８においてレンジング・フェーズ（前述）を開始してもよい。適正なフィルタ構成の解析および決定（段階５０８〜５１６）が、段階６１８においてレンジングを開始する前に、完了されることが理解される。
【００６０】
CPU  ３０４のようなコントローラにおいてプロセス６００を実装するためのソフトウェア・コードの一部を下記に示す。
【００６１】
【表１】
2018533241.tif 000003
本開示の別の実施形態では、ネットワーク構成において使われている適正な上り通信周波数範囲を判別するために、フィルタ回路５００および方法６００とともに追加的な試験条件が使われることができることが理解される。追加的な試験条件は段階６１０と段階６１２の間に実装されてもよく、あるいは段階６１２と並列に実装されてもよいことが理解される。追加的な試験条件を実装するとき、CPU  ３０４は上の（非レガシーの）上り帯域（すなわち42〜85MHzの周波数範囲）において（ネットワーク・インターフェース３０２を介して）CMTSにメッセージを送信する。その周波数範囲における上りチャネルがCMTSによって使われるかどうかを判定するためである。ある実施形態では、該メッセージは、前記上の帯域のチャネルにおいて送信される。次いで、CPU  ３０４は、その上りチャネルが上り通信のために使われていることを示す、CMTSからの応答または受け取り確認を受信するのを待つ。CPU  ３０４によって送られた前記メッセージを受け取り確認するCMTSからの応答を受信しないことは、その周波数における上りチャネルが、「利用可能」であるものの、CMTSによって使われていないことを示す。その周波数における上りチャネルを使わないことまたは受け取り確認しないことは、この周波数範囲における周波数が実は、周波数の下り部分の一部として機能しており、このチャネルで上り送信が実行されたらネットワーク通信との干渉が起こりうることの指標を提供しうる。CPU  ３０４は、CPU  ３０４によって送られたメッセージを受け取り確認する応答が受信されない場合、ネットワークにおける下り通信との潜在的な干渉を防止するために、第一のフィルタ構成を選択するよう構成される。さらに、CPU  ３０４は、CPU  ３０４によって送られたメッセージを受け取り確認する応答が受信される場合には、第二のフィルタ構成を選択するよう構成される。
【００６２】
ある実施形態では、方法が提供される。本方法は、フィルタ回路におけるフィルタ応答を調整するために使われてもよい。本方法は、通信装置によって実装されてもよく、周波数範囲の上り通信部分において上り通信信号を送信するために使われる複数のチャネルの指示を含む信号を受領し、前記指示に基づいて前記複数のチャネルによって使われる周波数の最大値を判別し、通信デバイスにおいて前記上り通信信号を下り通信信号から分離するために使われるフィルタ回路におけるフィルタ応答を、前記判定された最大周波数に基づいて調整することを含む。
【００６３】
もう一つの実施形態では、前記指示は、前記通信デバイスの初期化の間に前記周波数範囲の下り通信部分において受信される。
【００６４】
さらなる実施形態では、前記判別することは、前記指示に基づいて、前記複数のチャネルにおける少なくとも一つのチャネルについての中心周波数およびチャネル帯域幅を決定することを含む。
【００６５】
もう一つの実施形態では、前記指示は、複数の上りチャネル記述子であり、各上りチャネル記述子は前記複数のチャネルのうちあるチャネルに対応し、各上りチャネル識別子はその上りチャネル識別子に関連付けられたチャネルについての中心周波数と、そのチャネルについての通信プロトコルについてのシンボル・レートとを特定するデータを含む。
【００６６】
さらなる実施形態では、前記複数のチャネルの各チャネルについてのチャネル帯域幅は、対応するチャネルの上りチャネル記述子におけるシンボル・レートに基づいて決定される。
【００６７】
もう一つの実施形態では、チャネル帯域幅は、シンボル・レートに、上り超過帯域幅因子を乗算することによって決定される。たとえば、上り超過帯域幅因子は1.25に等しくてもよい。
【００６８】
さらなる実施形態では、前記複数のチャネルの各チャネルについての動作周波数は、各チャネルについての中心周波数を、対応するチャネルについての決定されたチャネル帯域幅の半分に加算することによって決定される。
【００６９】
もう一つの実施形態では、前記最大値は、前記複数のチャネルのチャネル全部についての最高の動作周波数を判別することによって決定される。
【００７０】
さらなる実施形態では、提供される本方法はさらに、前記最大値が第一の値より大きいかどうかを判定することを含み、前記調整することは、前記最大値が前記第一の値より大きくない場合には第一のフィルタ構成に切り換え、前記最大値が第一の値より大きい場合には第二のフィルタ構成に切り換えることを含む。前記第一のフィルタ構成および前記第二のフィルタ構成は、周波数の異なる範囲をフィルタリングするよう動作し、前記第一のフィルタ構成は第一の高域通過フィルタおよび第一の低域通過フィルタを含み、前記第二のフィルタ構成は第二の高域通過フィルタおよび第二の低域通過フィルタを含む。
【００７１】
もう一つの実施形態では、前記上り通信部分は、第一の周波数範囲または第二の周波数範囲に制限され、前記第二の周波数範囲は前記第一の周波数範囲を含み、かつ、前記第一の周波数範囲よりも高い上限周波数をもち、前記下り通信部分は第三の周波数範囲または第四の周波数範囲に制限され、前記第一の低域通過フィルタは前記第一の周波数範囲の信号のみを通過させ、第一の高域通過フィルタは前記第三の周波数範囲の信号のみを通過させ、前記第二の低域通過フィルタは前記第二の周波数範囲の信号のみを通過させ、前記第二の高域通過フィルタは前記第四の周波数範囲の信号のみを通過させる。
【００７２】
さらなる実施形態では、提供される本方法はさらに、前記複数のチャネルのうち一つのチャネルについての、前記第二の周波数範囲のうち前記第一の周波数範囲よりも高い部分における周波数である周波数を使って信号を送信し、前記第一の周波数範囲において受信される信号について受け取り確認が受信されるかどうかを判定し、前記受け取り確認が受信されないと判定される場合には前記第一のフィルタ構成に切り換え、前記受け取り確認が受信されると判定される場合には前記第二のフィルタ構成に切り換えることを含む。
【００７３】
ある実施形態では、ネットワークに結合されたネットワーク・インターフェースを含む装置が提供される。前記ネットワーク・インターフェースは、ある周波数範囲の上り通信部分において前記ネットワークと当該装置との間で通信される信号を、前記周波数範囲の下り通信部分において前記ネットワークと当該装置との間で通信される信号から分離するフィルタ回路を含み、前記ネットワーク・インターフェースはさらに、前記周波数範囲の前記下り通信部分において前記ネットワークを通じて通信される信号を受信し、前記信号は、周波数範囲の前記上り通信部分において上り通信信号を送信するために使われる複数のチャネルの指示を含み、当該装置はさらに、前記ネットワーク・インターフェースに結合された処理回路を含み、前記処理回路は、前記受信された信号における前記指示に基づいて前記周波数範囲の前記上り通信部分において前記複数のチャネルによって使われる周波数についての最大値を判別し、前記フィルタ回路におけるフィルタ応答を、前記判別された最大値に基づいて調整する。
【００７４】
もう一つの実施形態では、前記指示は、当該装置の初期化の間に前記周波数範囲の下り通信部分において前記ネットワーク・インターフェースによって受信される。
【００７５】
さらなる実施形態では、前記プロセッサは、前記指示に基づいて、前記複数のチャネルにおける少なくとも一つのチャネルについての中心周波数およびチャネル帯域幅を決定する。
【００７６】
もう一つの実施形態では、前記指示は、複数の上りチャネル記述子であり、各上りチャネル記述子は前記複数のチャネルのうちあるチャネルに対応し、各上りチャネル識別子はその上りチャネル識別子に関連付けられたチャネルについての中心周波数と、そのチャネルについての通信プロトコルについてのシンボル・レートとを特定するデータを含む。
【００７７】
さらなる実施形態では、前記プロセッサは、前記複数のチャネルの各チャネルについてのチャネル帯域幅を、対応するチャネルの上りチャネル記述子におけるシンボル・レートに基づいて決定する。
【００７８】
もう一つの実施形態では、前記プロセッサは、チャネル帯域幅を、シンボル・レートを1.25倍することによって決定する。
【００７９】
さらなる実施形態では、前記プロセッサは、前記複数のチャネルの各チャネルについての動作周波数を、対応するチャネルについての中心周波数を、対応するチャネルについての決定されたチャネル帯域幅の半分に加算することによって決定する。
【００８０】
もう一つの実施形態では、前記プロセッサは、前記最大値を、前記複数のチャネルのチャネル全部についての最高の動作周波数を判別することによって決定する。
【００８１】
さらなる実施形態では、提供される装置は、第一の高域通過フィルタおよび第一の低域通過フィルタを有する第一のフィルタ構成および第二の高域通過フィルタおよび第二の低域通過フィルタを有する第二のフィルタ構成を備えたフィルタを含む。前記プロセッサはさらに、前記フィルタ応答を調整することを、前記最大値が第一の値より大きいかどうかを判定し、前記最大値が第一の値より大きくない場合には第一のフィルタ構成に切り換え、前記最大値が第一の値より大きい場合には第二のフィルタ構成に切り換えることによって行なう。
【００８２】
もう一つの実施形態では、前記周波数範囲の前記上り通信部分は、第一の周波数範囲または第二の周波数範囲に制限され、前記周波数範囲の前記下り通信部分は第三の周波数範囲または第四の周波数範囲に制限され、前記第二の周波数範囲は前記第一の周波数範囲を含み、かつ、前記第一の周波数範囲よりも高い上限周波数をもち、前記第三の周波数範囲は前記第一の周波数範囲より上であり、前記第四の周波数範囲は前記第三の周波数範囲より上であり、前記第一の低域通過フィルタは前記第一の周波数範囲の信号のみを通過させ、前記第一の高域通過フィルタは前記第三の周波数範囲の信号のみを通過させ、前記第二の低域通過フィルタは前記第二の周波数範囲の信号のみを通過させ、前記第二の高域通過フィルタは前記第四の周波数範囲の信号のみを通過させる。
【００８３】
さらなる実施形態では、前記プロセッサは、前記複数のチャネルのうち一つのチャネルについての、前記第二の周波数範囲のうち前記第一の周波数範囲よりも高い部分における周波数である周波数を使って、前記ネットワーク・インターフェースを介して信号を送信し、前記第一の周波数範囲において受信される信号について受け取り確認が受信されるかどうかを判定し、前記受け取り確認が受信されないと判定される場合には前記第一のフィルタ構成に切り換え、前記受け取り確認が受信されると判定される場合には前記第二のフィルタ構成に切り換える。
【００８４】
上記の記述において明示的に指示されている場合のほかは、図示および記述されるさまざまな事項は交換可能である、すなわちある実施形態に示される事項は別の実施形態に組み込まれてもよいことが理解される。
【００８５】
本稿では本開示の教示を組み込む実施形態が詳細に示され、説明されているが、当業者は、やはりこれらの教示を組み込んでいる数多くの他の変形実施形態を容易に考案できる。信号通信デバイスにおいてフィルタ回路を制御するための方法および装置の好ましい実施形態を記述してきたが、上記の教示に照らして当業者によって修正および変更ができることを注意しておく。よって、開示される開示の具体的な実施形態において、付属の請求項に概説される開示の範囲内である変更がなされてもよいことが理解される。
【図１】
2018533241.tif 000004
【図２】
2018533241.tif 000005
【図３】
2018533241.tif 000006
【図４】
2018533241.tif 000007
【図５】
2018533241.tif 000008
【図６】
2018533241.tif 000009
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
周波数範囲の上り通信部分において上り通信信号を送信するために使われる複数のチャネルの指示を含む信号を受信し；
前記指示に基づいて前記複数のチャネルによって指定される周波数のうちの最大周波数値を判別し；
通信デバイスにおいて前記上り通信信号を下り通信信号から分離するために使われるフィルタ回路におけるフィルタ応答を、前記判別された最大周波数値に基づいて調整することを含む、
方法。
【請求項２】
前記指示は、前記周波数範囲の下り通信部分において受信される、請求項１記載の方法。
【請求項３】
前記判別することは、前記指示に基づいて、前記複数のチャネルにおける少なくとも一つのチャネルについての中心周波数およびチャネル帯域幅を決定することを含む、請求項１記載の方法。
【請求項４】
前記指示は、複数の上りチャネル記述子であり、各上りチャネル記述子は前記複数のチャネルのうちあるチャネルに対応し、各上りチャネル識別子はその上りチャネル識別子に関連付けられたチャネルについての中心周波数と、そのチャネルについての通信プロトコルについてのシンボル・レートとを特定するデータを含む、請求項３記載の方法。
【請求項５】
前記複数のチャネルの各チャネルについてのチャネル帯域幅は、対応するチャネルの上りチャネル記述子におけるシンボル・レートに基づいて決定される、請求項４記載の方法。
【請求項６】
前記複数のチャネルの各チャネルについての動作周波数は、各チャネルについての中心周波数を、対応するチャネルについての決定されたチャネル帯域幅の半分に加算することによって決定される、請求項５記載の方法。
【請求項７】
前記最大値は、前記複数のチャネルのチャネル全部についての最高の動作周波数を判別することによって決定される、請求項６記載の方法。
【請求項８】
前記最大値が第一の値より大きいかどうかを判定することをさらに含み、前記調整することは、前記最大値が前記第一の値より大きくない場合には第一のフィルタ構成に切り換え、前記最大値が第一の値より大きい場合には第二のフィルタ構成に切り換えることを含み、前記第一のフィルタ構成は第一の高域通過フィルタおよび第一の低域通過フィルタを含み、前記第二のフィルタ構成は第二の高域通過フィルタおよび第二の低域通過フィルタを含む、請求項１記載の方法。
【請求項９】
前記上り通信部分は、第一の周波数範囲または第二の周波数範囲に制限され、前記第二の周波数範囲は前記第一の周波数範囲を含み、かつ、前記第一の周波数範囲よりも高い上限周波数をもち、前記下り通信部分は第三の周波数範囲または第四の周波数範囲に制限され、前記第一の低域通過フィルタは前記第一の周波数範囲の信号のみを通過させ、第一の高域通過フィルタは前記第三の周波数範囲の信号のみを通過させ、前記第二の低域通過フィルタは前記第二の周波数範囲の信号のみを通過させ、前記第二の高域通過フィルタは前記第四の周波数範囲の信号のみを通過させる、請求項８記載の方法。
【請求項１０】
前記複数のチャネルのうち一つのチャネルについての、前記第二の周波数範囲のうち前記第一の周波数範囲よりも高い部分における周波数である周波数を使って信号を送信し；
前記第一の周波数範囲において受信される信号についての受け取り確認が受信されるかどうかを判定し；
前記受け取り確認が受信されないと判定される場合には前記第一のフィルタ構成に切り換え；
前記受け取り確認が受信されると判定される場合には前記第二のフィルタ構成に切り換えることをさらに含む、
請求項９記載の方法。
【請求項１１】
ネットワークに結合されたネットワーク・インターフェースを有する装置であって：
前記ネットワーク・インターフェースは、ある周波数範囲の上り通信部分において前記ネットワークと当該装置との間で通信される信号を、前記周波数範囲の下り通信部分において前記ネットワークと当該装置との間で通信される信号から分離するフィルタ回路を含み、前記ネットワーク・インターフェースはさらに、周波数範囲の前記上り通信部分において上り通信信号を送信するために使われる複数のチャネルの指示を受信し；
当該装置はさらに、前記ネットワーク・インターフェースに結合された処理回路を有し、前記処理回路は、前記受信された信号における前記指示に基づいて前記周波数範囲の前記上り通信部分において前記複数のチャネルによって指定される周波数のうちの最大周波数値を判別し、前記フィルタ回路におけるフィルタ応答を、前記判別された最大周波数値に基づいて調整する、
装置。
【請求項１２】
前記指示は、前記周波数範囲の前記下り通信部分において前記ネットワーク・インターフェースによって受信される、請求項１１記載の装置。
【請求項１３】
前記プロセッサは、前記指示に基づいて、前記複数のチャネルにおける少なくとも一つのチャネルについての中心周波数およびチャネル帯域幅を決定する、請求項１１記載の装置。
【請求項１４】
前記指示は、複数の上りチャネル記述子であり、各上りチャネル記述子は前記複数のチャネルのうちあるチャネルに対応し、各上りチャネル識別子はその上りチャネル識別子に関連付けられたチャネルについての中心周波数と、そのチャネルについての通信プロトコルについてのシンボル・レートとを特定するデータを含む、請求項１３記載の装置。
【請求項１５】
前記プロセッサは、前記複数のチャネルの各チャネルについてのチャネル帯域幅を、対応するチャネルの上りチャネル記述子におけるシンボル・レートに基づいて決定する、請求項１４記載の装置。
【請求項１６】
前記プロセッサは、前記複数のチャネルの各チャネルについての動作周波数を、対応するチャネルについての中心周波数を、対応するチャネルについての決定されたチャネル帯域幅の半分に加算することによって決定する、請求項１５記載の装置。
【請求項１７】
前記プロセッサは、前記最大値を、前記複数のチャネルのチャネル全部についての最高の動作周波数を判別することによって決定する、請求項１６記載の装置。
【請求項１８】
前記フィルタは、第一の高域通過フィルタおよび第一の低域通過フィルタを有する第一のフィルタ構成および第二の高域通過フィルタおよび第二の低域通過フィルタを有する第二のフィルタ構成をさらに含み、前記プロセッサは、前記最大値が第一の値より大きいかどうかを判定し、前記最大値が第一の値より大きくない場合には第一のフィルタ構成に切り換え、前記最大値が第一の値より大きい場合には第二のフィルタ構成に切り換えることによって前記フィルタ応答を調整する、請求項１１記載の装置。
【請求項１９】
前記周波数範囲の前記上り通信部分は、第一の周波数範囲または第二の周波数範囲に制限され、前記周波数範囲の前記下り通信部分は第三の周波数範囲または第四の周波数範囲に制限され、前記第二の周波数範囲は前記第一の周波数範囲を含み、かつ、前記第一の周波数範囲よりも高い上限周波数をもち、前記第三の周波数範囲は前記第一の周波数範囲より上であり、前記第四の周波数範囲は前記第三の周波数範囲より上であり、前記第一の低域通過フィルタは前記第一の周波数範囲の信号のみを通過させ、前記第一の高域通過フィルタは前記第三の周波数範囲の信号のみを通過させ、前記第二の低域通過フィルタは前記第二の周波数範囲の信号のみを通過させ、前記第二の高域通過フィルタは前記第四の周波数範囲の信号のみを通過させる、請求項１８記載の装置。
【請求項２０】
前記プロセッサは：
前記複数のチャネルのうち一つのチャネルについての、前記第二の周波数範囲のうち前記第一の周波数範囲よりも高い部分における周波数である周波数を使って、前記ネットワーク・インターフェースを介して信号を送信し；
前記第一の周波数範囲において受信される信号についての受け取り確認が受信されるかどうかを判定し；
前記受け取り確認が受信されないと判定される場合には前記第一のフィルタ構成に切り換え；
前記受け取り確認が受信されると判定される場合には前記第二のフィルタ構成に切り換える、
請求項１１記載の装置。
【手続補正２】
【補正対象書類名】明細書
【補正対象項目名】００８５
【補正方法】変更
【補正の内容】
【００８５】
本稿では本開示の教示を組み込む実施形態が詳細に示され、説明されているが、当業者は、やはりこれらの教示を組み込んでいる数多くの他の変形実施形態を容易に考案できる。信号通信デバイスにおいてフィルタ回路を制御するための方法および装置の好ましい実施形態を記述してきたが、上記の教示に照らして当業者によって修正および変更ができることを注意しておく。よって、開示される開示の具体的な実施形態において、付属の請求項に概説される開示の範囲内である変更がなされてもよいことが理解される。
いくつかの付記を記載しておく。
〔付記１〕
周波数範囲の上り通信部分において上り通信信号を送信するために使われる複数のチャネルの指示を含む信号を受信し（４１０）；
前記指示に基づいて前記複数のチャネルによって使われるすべての周波数のうちの最大周波数値を判別し（４２０）；
通信デバイスにおいて前記上り通信信号を下り通信信号から分離するために使われるフィルタ回路におけるフィルタ応答を、前記判別された最大周波数値に基づいて調整する（４３０）ことを含む、
方法。
〔付記２〕
前記指示は、前記周波数範囲の下り通信部分において受信される（６０４）、付記１記載の方法。
〔付記３〕
前記判別すること（４２０）は、前記指示に基づいて、前記複数のチャネルにおける少なくとも一つのチャネルについての中心周波数およびチャネル帯域幅を決定することを含む、付記１記載の方法。
〔付記４〕
前記指示は、複数の上りチャネル記述子であり、各上りチャネル記述子は前記複数のチャネルのうちあるチャネルに対応し、各上りチャネル識別子はその上りチャネル識別子に関連付けられたチャネルについての中心周波数と、そのチャネルについての通信プロトコルについてのシンボル・レートとを特定するデータを含む、付記３記載の方法。
〔付記５〕
前記複数のチャネルの各チャネルについてのチャネル帯域幅は、対応するチャネルの上りチャネル記述子におけるシンボル・レートに基づいて決定される、付記４記載の方法。
〔付記６〕
チャネル帯域幅は、シンボル・レートに、超過アップロード帯域幅因子を乗算することによって決定される、付記５記載の方法。
〔付記７〕
前記複数のチャネルの各チャネルについての動作周波数は、各チャネルについての中心周波数を、対応するチャネルについての決定されたチャネル帯域幅の半分に加算することによって決定される、付記５記載の方法。
〔付記８〕
前記最大値は、前記複数のチャネルのチャネル全部についての最高の動作周波数を判別する（６１０）ことによって決定される（４２０）、付記７記載の方法。
〔付記９〕
前記最大値が第一の値より大きいかどうかを判定する（６１２）ことをさらに含み、前記調整することは、前記最大値が前記第一の値より大きくない場合には第一のフィルタ構成に切り換え、前記最大値が第一の値より大きい場合には第二のフィルタ構成に切り換えることを含み、前記第一のフィルタ構成は第一の高域通過フィルタおよび第一の低域通過フィルタを含み、前記第二のフィルタ構成は第二の高域通過フィルタおよび第二の低域通過フィルタを含む、付記１記載の方法。
〔付記１０〕
前記上り通信部分は、第一の周波数範囲または第二の周波数範囲に制限され、前記第二の周波数範囲は前記第一の周波数範囲を含み、かつ、前記第一の周波数範囲よりも高い上限周波数をもち、前記下り通信部分は第三の周波数範囲または第四の周波数範囲に制限され、前記第一の低域通過フィルタは前記第一の周波数範囲の信号のみを通過させ、第一の高域通過フィルタは前記第三の周波数範囲の信号のみを通過させ、前記第二の低域通過フィルタは前記第二の周波数範囲の信号のみを通過させ、前記第二の高域通過フィルタは前記第四の周波数範囲の信号のみを通過させる、付記９記載の方法。
〔付記１１〕
前記複数のチャネルのうち一つのチャネルについての、前記第二の周波数範囲のうち前記第一の周波数範囲よりも高い部分における周波数である周波数を使って信号を送信し；
前記第一の周波数範囲において受信される信号についての受け取り確認が受信されるかどうかを判定し；
前記受け取り確認が受信されないと判定される場合には前記第一のフィルタ構成に切り換え；
前記受け取り確認が受信されると判定される場合には前記第二のフィルタ構成に切り換えることをさらに含む、
付記１０記載の方法。
〔付記１２〕
ネットワークに結合されたネットワーク・インターフェース（３０２）を有する装置（３００）であって：
前記ネットワーク・インターフェース（３０２）は、ある周波数範囲の上り通信部分において前記ネットワークと当該装置との間で通信される信号を、前記周波数範囲の下り通信部分において前記ネットワークと当該装置との間で通信される信号から分離するフィルタ回路（５００）を含み、前記ネットワーク・インターフェース（３０２）はさらに、周波数範囲の前記上り通信部分において上り通信信号を送信するために使われる複数のチャネルの指示を受信し；
当該装置はさらに、前記ネットワーク・インターフェース（３０２）に結合された処理回路（３０４）を有し、前記処理回路（３０４）は、前記受信された信号における前記指示に基づいて前記周波数範囲の前記上り通信部分において前記複数のチャネルによって使われるすべての周波数のうちの最大周波数値を判別し、前記フィルタ回路（５００）におけるフィルタ応答を、前記判別された最大周波数値に基づいて調整する、
装置。
〔付記１３〕
前記指示は、前記周波数範囲の前記下り通信部分において前記ネットワーク・インターフェース（３０２）によって受信される、付記１２記載の装置。
〔付記１４〕
前記プロセッサ（３０４）は、前記指示に基づいて、前記複数のチャネルにおける少なくとも一つのチャネルについての中心周波数およびチャネル帯域幅を決定する、付記１２記載の装置。
〔付記１５〕
前記指示は、複数の上りチャネル記述子であり、各上りチャネル記述子は前記複数のチャネルのうちあるチャネルに対応し、各上りチャネル識別子はその上りチャネル識別子に関連付けられたチャネルについての中心周波数と、そのチャネルについての通信プロトコルについてのシンボル・レートとを特定するデータを含む、付記１４記載の装置。
〔付記１６〕
前記プロセッサ（３０４）は、前記複数のチャネルの各チャネルについてのチャネル帯域幅を、対応するチャネルの上りチャネル記述子におけるシンボル・レートに基づいて決定する、付記１５記載の装置。
〔付記１７〕
前記プロセッサ（３０４）は、チャネル帯域幅を、シンボル・レートに超過アップロード帯域幅因子を乗算することによって決定する、付記１６記載の装置。
〔付記１８〕
前記プロセッサ（３０４）は、前記複数のチャネルの各チャネルについての動作周波数を、対応するチャネルについての中心周波数を、対応するチャネルについての決定されたチャネル帯域幅の半分に加算することによって決定する、付記１６記載の装置。
〔付記１９〕
前記プロセッサ（３０４）は、前記最大値を、前記複数のチャネルのチャネル全部についての最高の動作周波数を判別することによって決定する、付記１８記載の装置。
〔付記２０〕
前記フィルタ（５００）は、第一の高域通過フィルタ（５３０）および第一の低域通過フィルタ（５３５）を有する第一のフィルタ構成および第二の高域通過フィルタ（５４０）および第二の低域通過フィルタ（５４５）を有する第二のフィルタ構成をさらに含み、前記プロセッサ（３０４）は、前記最大値が第一の値より大きいかどうかを判定し、前記最大値が第一の値より大きくない場合には第一のフィルタ構成に切り換え、前記最大値が第一の値より大きい場合には第二のフィルタ構成に切り換えることによって前記フィルタ応答を調整する、付記１２記載の装置。
〔付記２１〕
前記周波数範囲の前記上り通信部分は、第一の周波数範囲または第二の周波数範囲に制限され、前記周波数範囲の前記下り通信部分は第三の周波数範囲または第四の周波数範囲に制限され、前記第二の周波数範囲は前記第一の周波数範囲を含み、かつ、前記第一の周波数範囲よりも高い上限周波数をもち、前記第三の周波数範囲は前記第一の周波数範囲より上であり、前記第四の周波数範囲は前記第三の周波数範囲より上であり、前記第一の低域通過フィルタ（５３５）は前記第一の周波数範囲の信号のみを通過させ、前記第一の高域通過フィルタ（５３０）は前記第三の周波数範囲の信号のみを通過させ、前記第二の低域通過フィルタ（５４０）は前記第二の周波数範囲の信号のみを通過させ、前記第二の高域通過フィルタ（５４５）は前記第四の周波数範囲の信号のみを通過させる、付記２０記載の装置。
〔付記２２〕
前記プロセッサ（３０４）は：
前記複数のチャネルのうち一つのチャネルについての、前記第二の周波数範囲のうち前記第一の周波数範囲よりも高い部分における周波数である周波数を使って、前記ネットワーク・インターフェース（３０２）を介して信号を送信し；
前記第一の周波数範囲において受信される信号についての受け取り確認が受信されるかどうかを判定し；
前記受け取り確認が受信されないと判定される場合には前記第一のフィルタ構成に切り換え；
前記受け取り確認が受信されると判定される場合には前記第二のフィルタ構成に切り換える、
付記１３記載の装置。
【国際調査報告】
2018533241.tif 000010
2018533241.tif 000011
2018533241.tif 000012